(57)【要約】【課題】使用電圧の広い範囲に渡ってモータより発生する電気雑音の除去効果を発揮することができるロータ構造とする。【解決手段】ブラシに対して摺動する複数のコミュテータ片２を周方向に持つとともに、該コミュテータ片に接続され、コイル巻き線に通電させるライザ部３を持つコミュテータ１と、ライザ部と電気的に接続されて電気雑音を除去する、リング状のバリスタ５とリング状のプリント抵抗５とを有し、前記リング状のバリスタと前記リング状のプリント抵抗とを、前記ライザ部に対して同心状に並置している。【選択図】図１
2007116863.tif 000002
【特許請求の範囲】
【請求項１】
ブラシに対して摺動する複数のコミュテータ片を周方向に持つとともに、該コミュテータ片に接続され、コイル巻き線に通電させるライザ部を持つコミュテータと、
前記ライザ部と電気的に接続されて電気雑音を除去する、リング状のバリスタとリング状のプリント抵抗とを有し、
前記リング状のバリスタと前記リング状のプリント抵抗とが、前記ライザ部に対して同心状に並置されることを特徴とするロータ構造。
【請求項２】
請求項１に記載のロータ構造を具備したことを特徴とするモータ。
【発明の詳細な説明】
【技術分野】
【０００１】
本発明は、各種装置の駆動源として用いられるモータに具備されるロータ構造および該ロータ構造を具備したモータに関するものである。
【背景技術】
【０００２】
ロータは、回転軸に一体回転可能に結合された、複数のスロットを有する電機子鉄心と、この電機子鉄心のスロットと同数のコミュテータ片を外周面に固定されたコミュテータと、電機子鉄心に巻き付けられるとともにコミュテータ片に接続する部分を有するコイル巻き線とから構成されている。この種のコミュテータを有するモータについては、従来から提案されている（特許文献１）。
【０００３】
上記コミュテータおよび該コミュテータのライザ部に電気的に接続されるリング状バリスタを有する従来のロータ構造を、図２に示す。
【０００４】
同図において、１０１はコミュテータであり、該コミュテータ１０１の表面には、コミュテータ片１０２が周方向に複数固定されており、このコミュテータ片１０２の軸方向下部に、不図示のコイル巻き線に通電させるライザ部１０３が設けられている。また、ライザ部１０３には、該ライザ部１０３と電気的に接続されるリング状バリスタ１０４が取り付けられている。なお、複数のコミュテータ片１０２が回転することによってスイッチング作用を行い、このスイッチングの際に、時として数万ボルトの逆起電圧が発生するが、リング状バリスタ１０４は、この逆起電圧によってモータ内に過度の電流が流れるのを防ぐ為のものである。つまり、電気雑音を除去するためのものである。
【特許文献１】特開２００４−４０８５５号公報
【発明の開示】
【発明が解決しようとする課題】
【０００５】
図２に示す従来のロータ構造では、コミュテータ１０１のライザ部１０３には、電気雑音除去のための手段としてリング状バリスタ１０４のみが接続されていた。このようにリング状バリスタのみを有するロータ構造を具備したモータを使用した場合の電圧−電流特性を示したのが、図３である。
【０００６】
上記図３から明らかなように、この種のロータ構造を具備したモータにおいては、低電圧域におけるモータ駆動時にはリング状バリスタ１０４に流れる電流が小さく、電気雑音除去の効果が小さいといった欠点を有していた。逆に、低電圧において電流が多く流れるリング状バリスタを用いたとすると、それより高い電圧においてモータを使用すると該リング状バリスタが発熱により破損する可能性があり、使用電圧の広い範囲に渡ってモータを使用することができなかった。
【０００７】
また、従来例として、上記リング状バリスタ１０４の代わりに、カーボンを印刷したリング状プリント抵抗のみを有するロータ構造のモータも知られているが、このロータ構造のモータの場合、図４の電圧−電流特性に示すように、高電圧域においてリング状プリント抵抗に対して流れる電流が少なく、駆動時の電気雑音除去の効果が小さいものであった。
【０００８】
したがって、リング状バリスタのみ、もしくは、リング状プリント抵抗のみを取り付けたロータ構造を具備する従来のモータを、産業機器に取り付け、例えば低電圧域にて該モータを駆動させた場合、図７（電流、電圧波形）に示すように、電気雑音除去効果が小さく、産業機器に重大な影響を与える可能性があった。
【０００９】
（発明の目的）
本発明の目的は、使用電圧の広い範囲に渡ってモータより発生する電気雑音の除去効果を発揮することのできるロータ構造およびモータを提供しようとするものである。
【課題を解決するための手段】
【００１０】
上記目的を達成するために、請求項１に記載の発明は、ブラシに対して摺動する複数のコミュテータ片を周方向に持つとともに、該コミュテータ片に接続され、コイル巻き線に通電させるライザ部を持つコミュテータと、前記ライザ部と電気的に接続されて電気雑音を除去する、リング状のバリスタとリング状のプリント抵抗とを有し、前記リング状のバリスタと前記リング状のプリント抵抗とが、前記ライザ部に対して同心状に並置されるロータ構造とするものである。
【００１１】
同じく上記目的を達成するために、請求項２に記載の発明は、請求項１に記載のロータ構造を具備したモータとするものである。
【００１２】
上記のロータ構造においては、周方向に複数配置されるライザ部に対してそれぞれ電気的に接続されるように、該ライザ部の回りに、リング状バリスタ、または、リング状プリント抵抗を配置し、さらにその回りに、つまり同心円状にリング状プリント抵抗、または、リング状バリスタを配置して、低電圧域においてはリング状プリント抵抗の電圧−電流特性が得られるようにし、高電圧域ではリング状バリスタの電圧−電流特性が得られるようにし、広い範囲に渡って電気雑音除去効果を発揮できるようにしている。
【発明の効果】
【００１３】
本発明によれば、使用電圧の広い範囲に渡ってモータより発生する電気雑音の除去効果を発揮することができるロータ構造またはモータを提供できるものである。
【発明を実施するための最良の形態】
【００１４】
以下の実施例に示す通りである。
【実施例】
【００１５】
図１は本発明の一実施例に係わる、コミュテータおよび該コミュテータのライザ部に電気的に接続されるリング状バリスタ及びリング状プリント抵抗を有するロータ構造を示す斜視図である。
【００１６】
同図において、コミュテータ１は、不図示のブラシに対して摺動する複数のコミュテータ片２を周方向に持つとともに、該コミュテータ片２に接続され、不図示のコイル巻き線に通電させるライザ部３を複数備えている。そして、周方向に複数配置されるライザ部３に対してそれぞれ電気的に接続されるように、該ライザ部３の回りに、リング状バリスタ４が配置され、さらにその回りに、つまり同心円状にリング状プリント抵抗５が配置されている。
【００１７】
上記のロータ構造とすることにより、低電圧域においては、リング状プリント抵抗５に多くの電流が流れ、図５のような電圧−電流特性を得ることができる。図６は、上記ロータ構造のモータを産業機器に用いた場合の、低電圧域における該モータの電流及び電圧波形を示すものであり、低電圧域における電気雑音により各波形に与えられる影響が、図７に示した従来のロータ構造の場合のものと比べ、低減されている。
【００１８】
一方、高電圧域においては、リング状バリスタ４に多くの電流が流れ、同じく図５のような電圧−電流特性を得ることができる。よって、本実施例に係わるロータ構造を具備したモータにおいては、広い範囲に渡って電気雑音除去効果を発揮できることになり、該モータが搭載される産業機器に重大な影響を与えるといった、従来の課題を改善することが可能となる。
【００１９】
なお、上記実施例では、周方向に複数配置されるライザ部３に対してそれぞれ電気的に接続されるように、該ライザ部３の回りに、リング状バリスタ４を配置し、さらにその回りにリング状プリント抵抗５を配置する構造にしているが、該ライザ部３の回りに、リング状プリント抵抗５を配置し、さらにその回りにリング状バリスタ４を配置する構造にしても、同様の効果を得ることができるものである。
【００２０】
以上の実施例によれば、リング状バリスタ４およびリング状プリント抵抗５を、コミテータ１に同心円上に配置して並列に用いるロータ構造にしたり、該ロータ構造を具備するモータとすることにより、広範囲の電圧に渡ってモータから発生する電気雑音を効果的に除去できるものとなる。
【図面の簡単な説明】
【００２１】
【図１】本発明の一実施例に係わるロータ構造を示す斜視図である。
【図２】従来のロータ構造を示す斜視図である。
【図３】リング状バリスタのみを有するロータ構造を具備するモータの電圧−電流特性を示す図である。
【図４】リング状プリント抵抗のみを有するロータ構造を具備するモータの電圧−電流特性を示す図である。
【図５】図１のロータ構造を具備するモータの電圧−電流特性を示す図である。
【図６】図１のロータ構造を具備するモータを産業機器に用いた場合の、低電圧域における該モータの電流及び電圧波形を示した図である。
【図７】図２のロータ構造を具備するモータを産業機器に用いた場合の、低電圧域における該モータの電流及び電圧波形を示した図である。
【符号の説明】
【００２２】
１    コミュテータ
２    コミュテータ片
３    ライザ部
４    リング状バリスタ
５    リング状プリント抵抗
【図１】
2007116863.tif 000003
【図２】
2007116863.tif 000004
【図３】
2007116863.tif 000005
【図４】
2007116863.tif 000006
【図５】
2007116863.tif 000007
【図６】
2007116863.tif 000008
【図７】
2007116863.tif 000009